(57)【特許請求の範囲】
【請求項１】
長軸方向に貫通する空孔を有する管状体と、前記管状体の内壁面に形成された絶縁体層と、前記絶縁体層上に、前記管状体の長軸方向に形成され、かつ前記管状体の一端から他端まで連続し、前記管状体の内壁の周方向に対して等間隔に形成される４個以上の電極とを有する管状センサと、
前記４個以上の電極のうち、選択された任意の２個の電極をそれぞれ作用極及び対極とし、前記作用極及び対極から出力される電気信号を計測する計測部と、
該計測部において計測された検出信号を演算し、前記管状センサ内に採取した液体中の成分値を求める制御部と
を有する成分測定装置。
【請求項２】
前記管状体の先端に刃面が設けられた請求項１に記載の成分測定装置。
【請求項３】
金属薄板上に絶縁層を形成するステップと、
前記絶縁層上に、等間隔で設けられたストライプ状の複数の電極を形成するステップと、
前記絶縁層及び前記電極が形成された前記金属薄板を、４個以上の前記電極を含むように切り抜き、長軸方向に貫通する空孔を有する管状体の展開形状をなした板状体を形成するステップと、
前記板状体をプレス加工し、管状体からなる管状センサを形成するステップと、
前記４個以上の電極のうち、任意の電極を２個選択し、前記２個の電極をそれぞれ作用極または対極として、該作用極及び対極に接続されるそれぞれの配線に、前記作用極及び対極から出力される電気信号を計測する計測部を接続するステップと
を有する成分測定装置の製造方法。
【請求項４】
前記電極の長手方向と、前記管状体の長軸方向が一致するように前記板状体を切り抜く請求項３に記載の成分測定装置の製造方法。
【請求項５】
前記プレス加工による前記管状体の継ぎ目を溶接するステップを含む請求項３又は４に記載の成分測定装置の製造方法。
【請求項６】
前記板状体は、前記金属薄板に枠状に残された枠部と部分的に接続された状態で形成される請求項３〜５のいずれか１項に記載の成分測定装置の製造方法。
【発明の詳細な説明】
【技術分野】
【０００１】
本発明は、体液等の液体内の成分を検出する成分測定装置、及びこの製造方法に関する。
【背景技術】
【０００２】
従来より、体液中の種々の成分を測定するために、体液中の特定成分と反応する特異酵素物を用いて測定を行う方法が採用されている。特に、血糖値の測定は、患者の状態をモニターするために重要であり、日常の血糖値の変動を患者自身がモニターする自己血糖測定が推奨されている。
【０００３】
これらの測定においては、例えば、患者が、穿刺針を備えた穿刺装置を用いて指先等の皮膚を穿刺した後、穿刺部位周辺を指等で圧迫して血液を搾り出し、搾り出した血液を、測定装置に装着した使い捨てのセンサに取り込ませる作業が必要である。このため、作業性に問題があった。
【０００４】
こうした作業の煩雑さを軽減するために、近年では、センサと穿刺針を一体化したものが提案されてきている。
例えば、下記特許文献１では、内部に空孔を有する管状の穿刺針内に、２個の電極を配設することが記載されている。この穿刺針内の電極は、電線を通じて制御基板に接続され、電流値の計測が行われる。
この方法では、穿刺針内に採取した血液によって血糖値の計測ができるので、必要とする血液量を低く抑えることができ、また、穿刺針を患者の皮膚に穿刺した後、そのまま計測できるので、患者の負担を軽減することが可能である。
【０００５】
また、下記特許文献２には、微小注射針に接続したキャピラリ管内に、酸素固定作用電極と対電極と参照電極とを配置することが記載されている。この方法は、毛細管現象により血液が微小注射針を介してキャピラリ管内に誘導され、キャピラリ管内のこれら３電極によって酸化電流を計測するものである。
【０００６】
一方、例えば注射針のような軸方向に空孔を有する管状体を製造する方法が下記特許文献３に提案されている。下記特許文献３に記載の方法では、まず金属製の薄板を、所望とする管状体を展開した形状に打ち抜く。そして、管状体の展開形状をした薄板をプレス加工によって序々に丸めていくことにより、筒状に成型するものである。
【先行技術文献】
【特許文献】
【０００７】
【特許文献１】特開２００７−５４４０７号公報
【特許文献２】特開平９−９４２３１号公報
【特許文献３】特許３９４３３９０号公報
【発明の概要】
【発明が解決しようとする課題】
【０００８】
ところが、上記特許文献１に記載の手法では、穿刺針と電極を別々に製造した後、電極を穿刺針内部の微小空間に固定する必要があり、固定精度や生産性に問題があった。
また、酵素反応で生じた電流を精度良く検出するためには、二つの電極間距離が一定とされることが望ましい。しかし、上述のように電極の固定精度にムラがあると、電極間距離にばらつきが生じるため高精度な成分検出を行うことができない。
【０００９】
また、上記特許文献２に記載の手法においても、細棒状に形成した作用電極と対電極と参照電極を、キャピラリ管内に挿入する作業が必要となる。これら３つの電極は、キャピラリイ管内にて中空に固定されているため、高い位置精度で配置することは困難である。したがって、電極間距離にばらつきが生じやすく、成分の検出精度に影響を及ぼしかねない。
また、穿刺針とキャピラリ管という２個の部材を必要とし、これらを接続する工程も必要となるので、製造コストも高くなる。
【００１０】
本発明は、上記課題に鑑み、精度良く成分検出を行うことができ、簡易に製造可能な成分測定装置、成分測定装置の製造方法を提供することを目的とする。
【課題を解決するための手段】
【００１１】
上記課題を解決するために、本発明による成分測定装置は、長軸方向に貫通する空孔を有する管状体、管状体の内壁面に形成された絶縁層、及び、この絶縁層上に、管状体の長軸方向に形成され、かつ管状体の一端から他端まで連続し、管状体の内壁の周方向に対して等間隔に形成される４個以上の電極とで構成される管状センサと、４個以上の電極のうち、選択された任意の２個の電極をそれぞれ作用極及び対極とし、作用極及び対極から出力される電気信号を計測する計測部と、計測部において計測された検出信号を演算し、管状センサ内に採取した液体中の成分値を求める制御部とを有する。
【００１４】
本発明の成分測定装置は、上述の管状センサを用いて構成されるものである。したがって、電極が管状体に固定されているので、電極間距離が一定に保持される。このため、管状センサ内に採取した液体の成分に応じた電気信号を精度良く検出することができる。
【００１５】
また、本発明の成分測定装置の製造方法は、金属薄板上に絶縁層を形成するステップと、絶縁層上に、等間隔で設けられたストライプ状の複数の電極を形成するステップと、絶縁層及び前記電極が形成された金属薄板を、４個以上の前記電極を含むように切り抜き、長軸方向に貫通する空孔を有する管状体の展開形状をなした板状体を形成するステップと、板状体をプレス加工し、管状体からなる管状センサを形成するステップと、４個以上の電極のうち、任意の電極を２個選択し、２個の電極をそれぞれ作用極または対極として、該作用極及び対極に接続されるそれぞれの配線に、作用極及び対極から出力される電気信号を計測する計測部を接続するステップとを有する。
【００１６】
本発明の成分測定装置の製造方法によれば、その内壁面に電極が固定された管状体を簡便に製造することができる。したがって、管状体と電極とを別々に製造した後、電極を管状体の内部に挿入、固定するプロセスを省くことが可能である。
また、電極が管状体の内壁面に固定して形成できることから、電極間距離を一定に保持
することができる。
【発明の効果】
【００１７】
本発明の成分測定装置に用いられる管状センサによれば、電極が管状体の内壁面に固定されるため、電極間距離が一定に保持される。このため、精度良く電流の検出を行うことができる。
また、本発明の成分測定装置によれば、上述の管状センサを用いていることにより、管状センサ内に採取した液体の成分に応じた電気信号を精度良く検出できる。
【００１８】
また、本発明の成分測定装置の製造方法では、管状体と電極とを別々に製造した後、電極を管状体の内部に挿入、固定するプロセスを省くことができる。このため、製造工程を簡略にでき、コストダウンを図ることができる。
【図面の簡単な説明】
【００１９】
【図１】図１Ａは、本発明の第１の実施の形態に係る管状センサの側面図であり、図１Ｂは、本発明の第１の実施の形態に係る管状センサをその長軸方向から見た説明図であり、図１Ｃは、本発明の第１の実施の形態に係る管状センサの断面図である。
【図２】本発明の第１の実施の形態に係る管状センサを外部機器に接続する様子を示す説明図である。
【図３】図３Ａは、外径及び内径が段階的に変化させた管状センサを示す説明図であり、図３Ｂは、外径及び内径を連続的に変化させた管状センサを示す説明図であり、図３Ｃは、外径及び内径が一定とされた管状センサを示す説明図である。
【図４】図４Ａは、絶縁層及び電極が形成された金属薄板を上方から見た上面図であり、図４Ｂは、その断面図である。
【図５】図５Ａは、金属薄板を切り抜くことにより形成された板状体を示す説明図であり、図５Ｂは、板状体を上型及び下型を用いてプレス加工する様子を示す説明図であり、図５Ｃは、プレス加工により板状体が湾曲された状態を示す説明図であり、図５Ｄは、別の上型を用いて板状体を閉曲面に加工し、管状体を形成する様子を示す説明図である。
【図６】板状体のプレス加工に用いる上型と下型の概略断面図である。
【図７】図７Ａは、径が一定とされた管状体に成型される板状体内に配列される電極を示す説明図であり、図７Ｂは、径が段階的に異なる管状体に成型される板状体内に配列される電極を示す説明図である。
【図８】図８Ａは、電極の１つが、管状体の接合面に位置する場合を示す説明図であり、図８Ｂは、管状体の内壁面において、電極の１つが管状体の接合面に対向する位置に配置された場合を示す説明図である。
【図９】図９Ａは、管状体内に４個の電極が配設された場合を示す説明図であり、図９Ｂは、管状体内に配設された４個の電極のうち、ダメージを受ける可能性のある箇所に２個の電極が配置された状態を示す説明図である。
【図１０】本発明の第２の実施の形態に係る成分測定装置を示す説明図である。
【発明を実施するための形態】
【００２０】
以下本発明を実施するための最良の形態の例を説明するが、本発明は以下の例に限定されるものではない。説明は以下の順序で行う。
１．第１の実施の形態
１−１．管状センサ
１−２．管状センサの製造方法
２．第２の実施の形態
２−１．成分測定装置
【００２１】
１．第１の実施の形態
１−１．管状センサ
図１Ａは、第１の実施の形態に係る管状センサ１００の側面図である。また、図１Ｂは、図１Ａにおける管状センサ１００のＡ矢視図であり、図１Ｃは、図１Ａにおける管状センサ１００の断面図である。
【００２２】
本実施形態による管状センサ１００は、その長軸方向に空孔を有する管状体１と、管状体１の内壁面に形成された絶縁層２と、絶縁層２上に形成されたプリント電極３を備える。
【００２３】
管状体１は、例えばＳＵＳ３０４，ＳＵＳ３１６等のステンレス鋼や、アルミニウム，アルミニウム合金，チタン，チタン等の金属材料により構成される。また、これら材料と同等の硬度、延性、塑性を備えるものであれば、その他の材料を用いてもよい。
管状体１は、その長軸方向に空孔が貫通した中空構造をしている。また、ここでは、その外径及び内径が両端において異なる形状となっている。
【００２４】
また、管状体１の外径や内径は特に限定されるものではない。管状体１を穿刺針として用いる場合には、管状体１の外径は例えば０．１ｍｍ〜０．３ｍｍである。
管状体１の長さも特に限定されるものではない。ただし、用途が穿刺針である場合には、必要とされる穿刺深さや、強度に応じて適宜選択される。
また、管状体１を穿刺針として用いる場合には、その一端に刃面４が設けてあってもよい。
【００２５】
管状体１の内壁面には、絶縁層２が形成されている。絶縁層２は、例えば絶縁性のプラスチック材料によって構成される。このプラスチック材料としては、例えばポリ塩化ビニル，ポリカーボネート，ポリスルホン，ナイロン，ポリウレタン，ポリエステル，アクリル樹脂，及びポリスチレン等から成るグループから選択される。他にも、セルロースのようなプラスチック以外の非導電性材料を用いてもよい。
また、絶縁層２は、接着、溶着、塗布、印刷、半導体プロセス等の様々な方法によって形成することができる。
【００２６】
絶縁層２上には、管状体１の長軸方向に延伸し、管状体１の一端から他端まで連続した電極３が形成されている。この電極は、後述するように、Ａｇペーストやカーボンペースト等を用い、印刷や塗布等によって形成することができる。また、電極としての導電性を有するものであればその他の材料を用いてよく、蒸着やスパッタ等のその他の半導体プロセスにより形成してもよい。
【００２７】
また、この電極３は、少なくとも２個以上形成される。図１Ｂでは２個の電極３が配設された例としてあり、例えば血糖値の測定の場合には、それぞれ作用極、対極として用いられる。３個以上の電極３が形成されている場合には、その中から作用極、対極として用いる２個の電極が選択される。
後述するように３個以上の電極３が形成されている場合は、その製造過程において電極３のいずれかに不具合が生じたとしても、残りの電極を作用極、対極として用いることができるため好ましい。
【００２８】
電極３上には、グルコースオキシダーゼやグルコースデヒドロゲナーゼ等の酵素を含む試薬が乾燥固定されている。管状体１の空孔内に採取された血液中のブドウ糖はこれらの酵素により酸化され、メディエータを介した電子の授受による電流が電極３によって検出される。
【００２９】
図２に示すように、電極３は、この電流を測定する測定器等の接続部５の端子６に接続される。この端子６は、例えばゼブラゴム等の導電性ゴムによって構成される。また、矢印Ａ１，Ａ２に示すように管状センサ１００の電極３と端子６とを対応させ、位置合わせして接続される。
端子６は、他の材料であってもよく、その他形状等、接続態様は特に限定するものではない。
【００３０】
例えば血糖値を計測する場合には、この管状センサ１００を患者の皮膚に穿刺する。
皮膚内に管状センサ１００を穿刺したまま血液の採取を行ってもよいし、管状センサ１００を皮膚から抜いた後、皮膚表面に滲出した血液を採取してもよい。血液は、例えば毛管現象により管状体１内の空孔に採取される。
【００３１】
このように、本実施の形態による管状センサ１００は、長軸方向に空孔を有する管状体１の内壁面に電極３が固定されている。このため、作用極と対極との間の電極間距離を一定に保つことが容易となり、測定精度の向上を図ることができる。
また、電極３には、例えば半導体プロセスにより形成される電極を用いることができる。このため、後述するように、一括して管状センサ１００を製造することができる。したがって、管状体と電極とを別々に形成した後、電極を管状体の空孔内に挿入したり、接着したりする必要が無い。これにより工程を簡易にでき、生産性を向上させることができる。
【００３２】
また、管状センサ１００に刃面４が設けてある場合には、管状センサ１００を患者の皮膚に穿刺した後、そのまま血液を採取し、血糖値等の計測を行うことができる。このため、作業量を減らせるので患者の負担を軽くすることが可能である。
また、本実施の形態では、管状体１の空孔内に電極３が配設されているため、空孔内に採取した僅かな血液量で計測を行うことができる。
【００３３】
また、ここでは管状体１の外径が、両端で異なる形状を挙げた。この形状は、図３Ａに示すように、外径が３段階に変化するものであってもよく、また図３Ｂのように連続的に径が変化してもよい。また、図３Ｃに示すように、外径が一定のものであってもよい。
また、管状体１の横断面形状は、真円に限定されず、四角形、六角形等の多角形であってもよく、また楕円形であってもよい。
【００３４】
１−２．管状センサの製造方法
次に本実施の形態による管状センサ１００の製造方法について、図４〜図９を参照して以下に説明する。また、図１と対応する部位には同一符号を付している。
図４Ａは、金属薄板８上に絶縁層２、電極３をそれぞれ形成した様子を示す上面図であり、図４Ｂは、図４ＡのＸ−Ｘ’断面図である。
【００３５】
金属薄板８は、例えばＳＵＳ３０４，ＳＵＳ３１６等のステンレス鋼や、アルミニウム，アルミニウム合金，チタン，チタン等の金属材料により構成される。また、これら材料と同等の硬度、延性、塑性を備えるものであれば、その他の材料を用いてもよい。
【００３６】
まず、金属薄板８上に絶縁層２が形成される。この絶縁層２は、例えば絶縁性のプラスチック材料によって構成される。このプラスチック材料としては、例えばポリ塩化ビニル，ポリカーボネート，ポリスルホン，ナイロン，ポリウレタン，ポリエステル，アクリル樹脂，及びポリスチレン等から成るグループから選択される。他にも、セルロースのようなプラスチック以外の非導電性材料を用いてもよい。
このような有機高分子材料によって絶縁層２を構成する場合には、例えばスピンコート等の塗布法や、スクリーン印刷等の印刷法によって絶縁層２を形成することができる。また、その他の半導体プロセスや、接着、溶着等の手法により形成してもよい。
【００３７】
金属薄板８上に絶縁層２を形成すると、次に電極３を例えばストライプ状に形成する。電極３は、例えばＡｇやカーボン等によって構成される。また、後のプレス加工に耐え得る延性と塑性を備えるものであれば、その他の金属、合金、導電性有機材料を用いてもよい。
電極３の形成には、Ａｇペーストやカーボンペースト、その他の導電性物質を含む溶液を用いた印刷法を用いることができる。
また、電極３の構成に導電性無機材料を用いる場合には、スパッタや蒸着、めっき等の方法により導電性膜を形成した後、エッチングやリフトオフ等によりパターニングすることで電極３を形成してもよい。
【００３８】
このように本実施の形態では、その製造過程において、半導体プロセスにより予め電極３が形成されることになる。したがって、従来のように穿刺針と電極とを別々に製造した後、電極を穿刺針内に挿入、接着する必要が無いため、一連のプロセスの中で一括して製造することが可能である。
【００３９】
電極３が形成されると、図４Ａの点線９、点線１０に示すように、所望とする管状体１を展開した形状を切り抜き、板状体を形成する。この切り抜きは、プレス機によるメカ的な切断であってもよいし、レーザ等を用いた熱による切断であってもよい。
また、ここでは、点線９，１０に示す展開形状内に二本の電極３が含まれるように位置合わせをして切り抜きを行う。
【００４０】
図５Ａに、切り抜き後の状態を示す。切り抜きにより、所望とする管状体１を展開した形状の板状体１１が形成される。また、板状体１１は、周囲に残された枠部１４の金属薄板に対して、連結部１２，１３により接続された状態で形成される。
また、連結部１２，１３は、板状体１１を管状体１に成型した際に、管状体の長軸方向の一端と他端となる側に設けられる。
【００４１】
次いで、図５Ｂに示すように、上型１５と下型１６を用いて板状体１１を上下方向からプレス加工することにより、板状体１１を湾曲して序々に丸めていく。
例えば板状体１１の上方に配置される上型１５には凸状の型を用い、板状体１１の下方に配置される下型１６には凹状の型が用いられる。
【００４２】
ここで、図６に上型１５，下型１６の断面図を示す。下型１５は、矢印Ａ３に示すように、段差が設けられた形状となっている。これにより、形成される管状体において径の小さい側の端部を枠部１４に対して持ち上げ、上方に変位させながら加工が行われる。
このことにより、両端において径の異なる管状体であっても、管状体の中心軸と、枠部１４とを平行に維持できる。また、この場合には、管状体の中心軸は、枠部１４の金属薄板面よりも上方に位置することになる。
【００４３】
図５に戻ると、プレス加工を徐々に繰り返していくことにより、図５Ｃに示すようにＵ字型形状に板状体１１が湾曲される。この過程においては、上型１５，下型１６のサイズを変えることによって序々に湾曲させていってもよいし、同一の型のままで湾曲を行ってもよい。
【００４４】
図５Ｃの状態まで板状体１１の湾曲が進むと、図５Ｄに示すように今度は凹状の上型１８を用いてプレスし、板状体１１をさらに湾曲させることで閉曲面に加工する。これにより、管状体１が形成される。
プレスのみの加工で管状体１内の継ぎ目１９を液密にできる場合には、連結部１２、１３を切断することにより、管状体１が枠部１４から切り離される。また、板状体１１の継ぎ目１９を接着材や溶接等により液密に接合してもよい。
ただし、管状体１が金属によって構成されていること、また、外径が非常に小さいことから、溶接による接合を行うことが好ましい。溶接の方法は特に限定しないが、例えば炭酸ガスレーザ、ＹＡＧレーザ、エキシマレーザ等を用いた溶接を行うことができる。
【００４５】
管状体１を枠部１４から切り離すことによって、本実施の形態における管状センサ１００（図１参照）がほぼ完成する。管状センサ１００を穿刺針として用いる場合には、例えば管状体１の先端を切断、研削、研磨する等により刃面４（図１参照）が形成される。
また、血糖値等を測定するセンサとして管状センサ１００を用いる場合には、酸化還元酵素を含む試薬を、板状体１１の切り抜き前に電極３上に塗布する。もしくは、管状体１を形成して枠部１４から切り離した後、管状体１の先端を試薬液に浸すことによって電極３に試薬を付着させてもよい。
【００４６】
ここでは管状体に２個の電極を配設する例としたが、３個以上の電極を配設してもよい。この場合には、板状体内に３個の電極が含まれるように、電極３を配列し、切り抜きを行えばよい。
例えば、長軸方向に外径が一定とされた管状体を形成する場合には、図７Ａの点線２０に示す展開形状の板状体内に３個の電極３が含まれるように切り抜きを行えばよい。
【００４７】
また、図７Ｂに示すように、その両端で外径の異なる管状体を形成する場合には、図７Ｂの点線２１に示す展開形状の板状体内に３個の電極が含まれるように切り抜きを行えばよい。
ただし図７Ｂでは、プレス加工後に小径となる側の端部において電極が３個配置されているのに対し、大径側の端部では電極が５個配置されることになる。
この形状の板状体により形成された管状体において、小径側の端部から採取した血液が電極３ａ，３ｂまで到達する場合には、これらの電極を血糖値の測定に用いることも可能である。しかし、採血の確実性を考慮すると、小径側の端部まで配列された電極３ｃの中から測定極、対極を選択するのが好ましい。
【００４８】
このように３個以上の電極が板状体内に配設されるようにすることで、プレス加工や溶接時においていずれかの電極がダメージを受けたとしても、その他の電極を作用極や対極として用いることが可能である。
【００４９】
例えば、図８Ａでは、管状体１の内壁面に絶縁層２を介して３個の電極３ｄ，３ｅ，３ｆが形成されている。しかし、プレス加工や溶接による接合面２２の近辺に配設された電極３ｄは、溶接時の熱によってダメージを受けている可能性がある。このような場合には、電極３ｅと電極３ｆとを作用極及び対極として用いることで、電流を確実に計測することができる。
【００５０】
また、図８Ｂでは、接合面２２と対向する位置に電極３ｈが形成されている。この位置に形成された電極は、プレス加工時において上型１５（図５Ｂ参照）から押圧を受けることによりダメージを受けている可能性がある。
したがって、この場合には、電極３ｇ，３ｋを作用極及び対極として用いることで、計測した電流値に誤差が生じるのを回避できる。
【００５１】
また、管状体１内に、絶縁層２を介して４個の電極が配設されている場合を図９に示す。
図９Ａにおいて、４個の電極３ｌ，３ｍ，３ｎ，３ｐが管状体１内に配設されている。しかし、これらの電極の配設されている位置は、管状体１の接合面２、及び管状体１の内壁面において接合面２２に対向する位置から外れている。
したがって、この場合には電極３ｌ，３ｍ，３ｎ，３ｐのいずれもダメージを受けていないので、任意の電極を２個選択し、作用極及び対極として用いてよい。
【００５２】
一方、図９Ｂでは、配設された４個の電極３ｑ，３ｒ，３ｓ，３ｔのうち、電極３ｔは管状体１の接合面２２付近に位置しており、電極３ｒは、管状体１の内壁面において接合面２０と対向して位置している。
電極３ｔは、接合面２２の溶接時においてダメージを受けている可能性があり、電極３ｒは、プレス加工時の押圧によってダメージを受けている可能性がある。
したがって、この場合には、電極３ｑ，３ｓを選択して作用極や対極として用いることで、確実に電流の計測を行うことができる。
【００５３】
このように、管状体に電極を３個以上等間隔で配設することで、ダメージを受けた電極を作用極や対極として用いるのを回避できる。また、電極がダメージを受ける可能性のある箇所が、管状体の接合面付近と、管状体の内壁面において管状体の接合面と対向する位置の２箇所であることがわかっている。したがって、４個以上の電極を一つの板状体内に等間隔で配設しておけば、必ず２個以上の電極が損傷を受けること無く存在し、これらの電極を作用極及び対極として用いることができる。
【００５４】
また、図７のように電極を等間隔で配置している場合には、位置決めをすることなくランダムに板状体の切り抜きを行ったとしても、必ず一定数以上の電極を板状体に残すことが可能である。
したがって、３個以上の電極が板状体内に残るように、電極同士の距離を定めて等間隔に形成しておくことが好ましい。これにより、その長軸と直交する方向にランダムに板状体の切り抜きを行うことで、電極が管状体の接合面付近や、プレス加工時に押圧を受ける箇所に配設され、ダメージを受けたとしても、残りの電極を作用極や対極として用いることができる。
すなわち、切り抜きの際に位置決めを行うプロセスを省略することが可能であるため、生産性の向上が図られ、製造コストを抑えることができる。
【００５５】
２．第２の実施の形態
２−１．成分測定装置
第２の実施の形態として、上述の管状センサ１００を用い、血糖値を測定する成分測定装置を構成する例を挙げる。
図１０は、第２の実施の形態に係る成分測定装置２００の構成を示す概略構成図である。本実施の形態による成分測定装置２００は、例えば血液を採取し、採取した血液のグルコース量に応じた電気信号を発生させる採血チップ３０と、採血チップ３０で発生した電気信号を計測する計測部６０を備える。
また、本実施の形態による成分測定装置２００は、計測部６０において計測された検出信号を演算し、採取した血液の血糖値を求める制御部７０と、制御部７０において算出された血糖値を表示する表示部８０も備える。
【００５６】
採血チップ３０は、穿刺針ユニット４０と、穿刺針ユニット４０を保持するハウジング５０を備える。ハウジング５０には、その長軸方向に貫通する空孔５１が設けられており、この空孔内に穿刺針ユニット４０が保持される。
【００５７】
穿刺針ユニット４０は、その先端に配設される管状センサ１００と、管状センサ１００を保持するハブ４１と、ハブ４１の後段に接続固定された被把持部４２と、一対の配線４５を備える。
【００５８】
この管状センサ１００は、第１の実施の形態（図１参照）で示したものであり、その先端部の内径は、毛管現象により血液を管状センサ１００内に導入できる程度に細径とされている。また、管状センサ１００は、その後端部がハブ４１内に保持されている。
また、ハブ４１の後段には、被把持部４２が接続固定されており、ハブ４１内の空孔において管状センサ１００と被把持部４２とが接触している。
また、管状センサ１００内の空孔は、被把持部４２に設けられた通気孔４２ａ、中心孔４２ｂを介して後方に連通される。
【００５９】
また、非把持部４２は、把持部４３によって把持されている。把持部４３内に配設された付勢バー４４が、図示しない付勢手段により把持部４３を介して穿刺針ユニット４０をを付勢する。これにより、管状センサ１００の刃面がハウジング５０の内外に出し入れされる。
【００６０】
管状センサ１００内の電極は、配線４５に接続されている。配線４５は、例えば被把持部材４２の通気孔４２ａを通った後、被把持部材４２の外表面に貫通すると、被把持部材４２の外表面上に延伸されている。
一方、被把持部４２を把持する把持部材４３の内表面には、配線４５に接触する一対の端子線４６が設けられている。この端子線４６は、管状センサ１００からの信号を計測する計測部６０に接続される。
【００６１】
計測部６０は、電源６３と、電源６３からの電圧を変更し、変更後の電圧を管状センサ１００の電極に印加する電圧変更回路６１と、管状センサ１００内に採取した液体中の成分量に応じて生じた電流を計測する電流測定部６２と、を備える。
電圧変更回路６１によって管状センサ１００内の電極間に所定の電圧を印加することで、血液中のグルコース量に応じた電流が電流測定部を流れる。この電流値の変化を電流測定部６２が計測し、検出信号を制御部７０へと出力する。
【００６２】
制御部７０は、入力された検出信号を基に、必要に応じて補正計算を行いながら演算処理することにより、血糖値を算出する。算出された血糖値は、例えば表示部８０によって出力表示される。
【００６３】
このように、本実施の形態による成分測定装置２００では、第１の実施の形態において示した管状センサ１００が用いられている。管状センサ１００では、その内壁面に電極が固定されているため、確実に電極間距離が一定に保持されている。このため、例えば血糖値の測定を精度良く行うことができる。
【００６４】
患者の血糖値を測定する際には、まず管状センサ１００で患者の皮膚を瞬間的に穿刺する。次いで、管状センサ１００をそのまま用い、空孔５１内に生じた微小な血塊９０から管状センサ１００内に血液を採取することで血糖値の測定を行うことができる。すなわち、非常に簡略化された動作で血糖値の測定が可能であるため、患者の負担を軽くすることが可能である。
また、管状センサ１００内に採取される血液のみによって血糖値の測定を行うことができるため、測定に必要な血液量も少量に抑えることができる。特に、一端と他端とで径の異なる管状体１を用いる場合には、細径部側から採取される血液は、毛管現象のために大径部側には浸入しにくいので、採取する血液量をより抑えることができる。
また、管状センサ１００の先端側の細径部内にのみ試薬を配設すると、採取する血液量をより抑えることができるのでが好ましい。管状センサ１００の内壁面に形成されている絶縁層２は、プラスチック材料によって構成されているので疎水性である。一方、試薬は親水性であるため、試薬の塗布された領域のみに血液が採取される。したがって、例えば試薬の塗布された細径部内に採取した血液のみによって測定を行うことが可能であり、より確実に採血量を抑えることができる。
【００６５】
以上、本発明による管状センサ、成分測定装置、管状センサの製造方法実施の形態について説明した。本発明は上記実施の形態にとらわれることなく、特許請求の範囲に記載した本発明の要旨を逸脱しない限りにおいて、考えられる種々の形態を含むものである。
また、ここでは、血液の血糖値を測定する例を挙げたが、例えば果物や野菜の糖度を測定するためのセンサや、河川や工場排水などの化学成分を測定するセンサとして用いることも可能である。
【符号の説明】
【００６６】
１・・・管状体、２・・・絶縁層、３，３ａ，３ｂ，３ｃ，３ｄ，３ｅ，３ｆ，３ｇ，３ｈ，３ｋ，３ｌ，３ｍ，３ｍ，３ｐ，３ｑ，３ｒ，３ｓ，３ｔ・・・電極、４・・・刃面、５・・・接続部、６，４６・・・端子、８・・・金属薄板、９，１０，２０，２１・・・線、１１・・・板状体、１２，１３・・・連結部、１４・・・枠部、１５，１８・・・上型、１６・・・下型、１９・・・継ぎ目、２２・・・継ぎ目、３０・・・採血チップ、４０・・・穿刺針ユニット、４１・・・ハブ、４２・・・被把持部、４２ａ・・・通気孔、４２ｂ・・・中心孔、４３・・・把持部、４４・・・付勢バー、４５・・・配線、４６・・・端子線、５０・・・ハウジング、５１・・・空孔、６０・・・計測部、６１・・・電圧変更回路、６２・・・電流測定部、６３・・・電源、７０・・・制御部、８０・・・表示部、９０・・・血塊、１００・・・管状センサ、２００・・・成分測定装置
【図１】
0005758606.tif 000002
【図２】
0005758606.tif 000003
【図３】
0005758606.tif 000004
【図４】
0005758606.tif 000005
【図５】
0005758606.tif 000006
【図６】
0005758606.tif 000007
【図７】
0005758606.tif 000008
【図８】
0005758606.tif 000009
【図９】
0005758606.tif 000010
【図１０】
0005758606.tif 000011